(57)【要約】【目的】  パラボラ波形がＣＲＴに印加されることで電子銃内で機械的な異常振動を発生させてしまうのを防止することができるＣＲＴ駆動装置を提供する。【構成】  ダイナミックＦＯＣＵＳ水平パラボラ波形整形用回路１は、マルチバイブレータ機能を有したＩＣから成っている。抵抗Ｒ２と抵抗Ｒ３とコンデンサＣ４とによって時定数回路を構成し、前記マルチバイブレータＩＣにおいて水平パラボラ波形用パルス波形の周波数が水平同期期間に一致するように、前記時定数を設定している。前記時定数回路には周波数変更回路６が接続されている。垂直帰線期間中のみ、垂直同期信号によって前記周波数変更回路６のトランジスタＱ１、Ｑ２をＯＮさせて時定数回路の時定数を変化させ、マルチバイブレータの発生周波数を変化させる。【選択図】        図２
2006010780.tif 000002
【特許請求の範囲】
【請求項１】
水平パラボラ波形信号及び垂直パラボラ波形信号を重畳して得られるフォーカス電圧をＣＲＴの集束電極に印加するダイナミックフォーカス回路を備えたＣＲＴ駆動装置において、垂直走査期間と垂直帰線期間とで前記水平パラボラ波形信号の周波数を異ならせる周波数変更手段を設けたことを特徴とするＣＲＴ駆動装置。
【請求項２】
請求項１に記載のＣＲＴ駆動装置において、垂直走査期間における水平パラボラ波形信号の周波数をｆ０とし、垂直帰線期間における水平パラボラ波形信号の周波数をｆ１とすると、ｆ１＞ｆ０となることを特徴とするＣＲＴ駆動装置。
【請求項３】
請求項１又は請求項２に記載のＣＲＴ駆動装置において、前記水平パラボラ波形信号を発生する手段は時定数回路の時定数に基づいた発振を行う回路から成り、前記周波数変更手段は垂直走査期間と垂直帰線期間とで前記時定数を変更する回路から成ることを特徴とするＣＲＴ駆動装置。
【請求項４】
請求項１乃至請求項３のいずれかに記載のＣＲＴ駆動装置において、前記周波数変更手段は、垂直同期信号を入力し、この垂直同期信号によって垂直走査期間中の水平パラボラ波形信号の位相を本来あるべき位相に合わせることを特徴とするＣＲＴ駆動装置。
【発明の詳細な説明】
【技術分野】
【０００１】
この発明は、ダイナミックフォーカス回路を備えたＣＲＴ駆動装置に関する。
【背景技術】
【０００２】
ＣＲＴ（陰極線管）を用いたＴＶ（テレビジョン）セット、映像用モニタ、ＰＣ（パーソナルコンピュータ）用モニタ等として、特にフラットＣＲＴを採用する場合、ＣＲＴの中央部と周辺部のＦＯＣＵＳ（フォーカス）性能を向上させるためにダイナミックＦＯＣＵＳ付きのＣＲＴを採用している（特許文献１参照）。ダイナミックＦＯＣＵＳ付きのＣＲＴを使用する場合は、水平周期及び垂直周期に同期させたパラボラ波形（約４００Ｖ〜１２００Ｖ程度）をＣＲＴに印加する。
【０００３】
図４は従来のダイナミックＦＯＣＵＳ回路（ＣＲＴ駆動装置）を示したブロック図である。ダイナミックＦＯＣＵＳ水平パラボラ波形整形回路５１は、水平パルス信号を入力し、水平パルス信号に同期した水平パラボラ波形用のパルス波形を整形する。ダイナミックＦＯＣＵＳ垂直パラボラ波形整形回路５２は、水平ＰＣＣ（ピンクッションコントロール）信号を入力して垂直パラボラ信号を出力する。ダイナミックＦＯＣＵＳ水平垂直重畳回路５３は両パラボラ信号を重畳し、ダイナミックＦＯＣＵＳ出力回路５４に与える。ダイナミックＦＯＣＵＳ出力回路５４によってパラボラ波形（約４００Ｖ〜１２００Ｖ程度）がＣＲＴ５５の電子銃に印加される。
【特許文献１】特開平８−６９２６０号公報
【発明の開示】
【発明が解決しようとする課題】
【０００４】
しかしながら、ダイナミックＦＯＣＵＳ回路から発生させた約４００〜１２００Ｖ程度のパラボラ波形がＣＲＴ５５の電子銃に印加された際、電子銃内で機械的な異常な振動を発生させてしまうことがある。この機械的な異常振動音が可聴音として発生するとユーザに耳障りとなる。
【０００５】
この発明は、上記の事情に鑑み、パラボラ波形がＣＲＴに印加されることで電子銃内で機械的な異常な振動を発生させてしまうのを防止することができるＣＲＴ駆動装置を提供することを目的とする。
【課題を解決するための手段】
【０００６】
この発明のＣＲＴ駆動装置は、上記の課題を解決するために、水平パラボラ波形信号及び垂直パラボラ波形信号を重畳して得られるフォーカス電圧をＣＲＴの集束電極に印加するダイナミックフォーカス回路を備えたＣＲＴ駆動装置において、垂直走査期間と垂直帰線期間とで前記水平パラボラ波形信号の周波数を異ならせる周波数変更手段を設けたことを特徴とする。
【０００７】
従来のＣＲＴ駆動装置では、映像信号と同期しているときには常に一定周波数のパラボラ波形を発生するものであり、このために共振し易くＣＲＴの電子銃内の機械振動が大きくなるものであった。上記構成のＣＲＴ駆動装置であれば、垂直走査期間と垂直帰線期間とで前記水平パラボラ波形信号の周波数を異ならせるので、機械的振動を引き起こす周波数が一定ではないものとなり、共振が抑えられて電子銃からの異音発生が抑制されることになる。
【０００８】
上記構成のＣＲＴ駆動装置において、垂直走査期間における水平パラボラ波形信号の周波数をｆ０とし、垂直帰線期間における水平パラボラ波形信号の周波数をｆ１とすると、ｆ１＞ｆ０となるようにしてもよい。また、前記水平パラボラ波形信号を発生する手段は時定数回路の時定数に基づいた発振を行う回路から成り、前記周波数変更手段は垂直走査期間と垂直帰線期間とで前記時定数を変更する回路から成るものでもよい。
【０００９】
また、これらの構成において、前記周波数変更手段は、垂直同期信号を入力し、この垂直同期信号によって垂直走査期間中の水平パラボラ波形信号の位相を本来あるべき位相に合わせる構成とされているのがよい。
【発明の効果】
【００１０】
この発明であれば、垂直走査期間と垂直帰線期間とで水平パラボラ波形の周波数を異ならせるので、ＣＲＴにおける電子銃の機械的な異常振動の継続を絶つことができ、異音を防止できるという効果を奏する。
【発明を実施するための最良の形態】
【００１１】
以下、この発明の実施形態のＣＲＴ駆動装置を図１乃至図３に基づいて説明する。図１はＣＲＴ駆動装置の概略構成を示したブロック図であり、図２は一部詳細図であり、図３はタイミングチャートである。
【００１２】
図１と従来図の図４との比較から分かるように、この発明の実施形態のＣＲＴ駆動装置は、図４の回路に更に周波数変更回路６を設けた構成となっている。図１に基づいてＣＲＴ駆動装置を簡単に説明する。ダイナミックＦＯＣＵＳ水平パラボラ波形整形回路１は、水平パルス信号を入力し、水平パルス信号に同期した水平パラボラ波形用のパルス波形を整形する。ダイナミックＦＯＣＵＳ垂直パラボラ波形整形回路２は、水平ＰＣＣ（ピンクッションコントロール）信号を入力して垂直パラボラ信号を出力する。ダイナミックＦＯＣＵＳ水平垂直重畳回路３は両パラボラ信号を重畳し、ダイナミックＦＯＣＵＳ出力回路４に与える。ダイナミックＦＯＣＵＳ出力回路４によってパラボラ波形（約４００Ｖ〜１２００Ｖ程度）がＣＲＴ５の電子銃に印加される。
【００１３】
ダイナミックＦＯＣＵＳ水平パラボラ波形整形用回路１は、マルチバイブレータ機能を有したＩＣから成っている。前記マルチバイブレータＩＣの発振周波数は、時定数回路によって決まる。時定数回路は、電源に接続された抵抗Ｒ２と、この抵抗Ｒ２に直列接続された抵抗Ｒ３と、この抵抗Ｒ３に一端側が接続され他端側がアース接続されたコンデンサＣ４とによって構成され、抵抗Ｒ３とコンデンサＣ４との接続点を出力端としている。前記時定数回路の時定数は、前記マルチバイブレータＩＣにおいて水平パラボラ波形用パルス波形の周波数が水平同期期間に一致するように設定されている。そして、この実施形態では、前記時定数回路に周波数変更回路６を接続した構成を採用している。
【００１４】
周波数変更回路６におけるトランジスタＱ１は、そのエミッタがアース接続されると共にベースに垂直同期信号を入力するようになっている。トランジスタＱ１のコレクタにはトランジスタＱ２のベースが接続されている。そして、トランジスタＱ２のエミッタには電源が接続されている。更に、トランジスタＱ１のコレクタ及びトランジスタＱ２のベースは抵抗Ｒ４を介して前記電源に接続されている。そして、トランジスタＱ２のコレクタは抵抗Ｒ１を介して前記抵抗Ｒ２と抵抗Ｒ３との接続点に接続されている。
【００１５】
この実施形態では、垂直帰線期間中のみ、垂直同期信号（図３参照）によって前記トランジスタＱ１、Ｑ２をＯＮさせる（垂直走査期間中はトランジスタＱ１、Ｑ２はＯＦＦとなる）。前記トランジスタＱ１、Ｑ２がＯＮすることで、抵抗Ｒ１にも電源から電流が流れる状態となり、時定数回路における抵抗Ｒ２単独の抵抗値状態から、抵抗Ｒ２と抵抗Ｒ１の合成値状態へと変化する。これにより、時定数回路の時定数が変化し、マルチバイブレータの発生周波数が変化する。通常、水平パラボラ波形用のパルス波形は、水平同期期間（水平走査期間）よりやや長く設定している（このパルス波形の周波数をｆ０とする。図３参照）。そして、この実施形態では、上述したマルチバイブレータの発生周波数の変化により、水平パラボラ波形用のパルス波形が水平同期期間よりも短くなるようにしている（このパルス波形の周波数をｆ１とすると、ｆ１＜ｆ０となる。図３参照）。垂直帰線期間が終了した場合、トランジスタＱ１、Ｑ２はＯＦＦし、水平パラボラ波形用のパルス波形は、水平同期期間（水平走査期間）よりやや長くなる（通常状態に戻る）。このように、周波数変更回路６を設けたことで、垂直走査期間と垂直帰線期間とでダイナミックＦＯＣＵＳ水平パラボラ波形の周波数が異なることになる。これにより、電子銃の機械的な異常振動の継続が絶たれることにり、異音を防止できる。
【００１６】
ここで、上記通常状態に戻すときには、パラボラ波形用のパルス波形と水平パルス信号の位相を早急に合わせる必要がある。位相を早急に合わせるためには、垂直同期信号の立ち上がりを利用すればよい。具体的には、この実施形態では、垂直同期信号をダイナミックＦＯＣＵＳ水平パラボラ波形整形用回路（マルチバイブレータＩＣ）１に供給し、発振をリセットさせることとしている。
【図面の簡単な説明】
【００１７】
【図１】この発明の実施形態のＣＲＴ駆動装置を示したブロック図である。
【図２】図１のＣＲＴ駆動装置の一部を詳細に示した回路図である。
【図３】垂直同期信号とパラボラ周波数との関係を示したタイミングチャートである。
【図４】従来のＣＲＴ駆動装置を示したブロック図である。
【符号の説明】
【００１８】
１    ダイナミックＦＯＣＵＳ水平パラボラ波形整形回路
２    ダイナミックＦＯＣＵＳ垂直パラボラ波形整形回路
３    ダイナミックＦＯＣＵＳ水平垂直重畳回路
４    ダイナミックＦＯＣＵＳ出力回路４
５    ＣＲＴ
６    周波数変更回路
【図１】
2006010780.tif 000003
【図２】
2006010780.tif 000004
【図３】
2006010780.tif 000005
【図４】
2006010780.tif 000006